(57)【要約】【課題】この発明は、照明板が架設されている状態で、目地を取り外し可能とし、吊天井の内部空間を広くすることなく、照明板を簡易に着脱できるエレベータのかご天井を得る。【解決手段】それぞれ、基部５ａ、および基部５ａの一端から直角に延出する支持部５ｂを有し、支持部５ｂを下方に向けて、天蓋３に取り付けられた照明機器４を取り囲むように天蓋３から垂設された複数の側板５と、相対する側板５の支持部５ｂ間に架設されて、照明機器４を覆うように配設された複数の照明板７と、隣り合う照明板７間の隙間を塞ぐように架設された目地８と、を備え、目地８が、照明板７が架設された状態で、かご室１内から着脱可能に取り付けられている。【選択図】図１
2014005116.tif 000002
【特許請求の範囲】
【請求項１】
それぞれ、基部、および基部の一端から直角に延出する支持部を有し、該支持部を下方に向けて、天蓋に取り付けられた照明機器を取り囲むように該天蓋から垂設された複数の側板と、
相対する上記側板の支持部間に架設されて、上記照明機器を覆うように配設された複数の照明板と、
隣り合う照明板間の隙間を塞ぐように架設された目地と、を備え、
上記目地が、上記照明板が架設された状態で、かご室内から着脱可能に取り付けられていることを特徴とするエレベータのかご天井。
【請求項２】
上記天蓋に取り付けられ、穴方向を上下方向とし、下端に開口する保持穴を有する取付金を備え、
上記目地が、上記保持穴に対して抜差し可能な取付部を有し、
摩擦材が上記取付部と上記保持穴との一方に装着され、
上記目地が上記摩擦材の摩擦力により上記取付金に保持されるように構成されていることを特徴とする請求項１記載のエレベータのかご天井。
【請求項３】
上記天蓋に取り付けられ、穴方向を上下方向とし、下端に開口する保持穴を有する取付金を備え、
上記目地が、上記保持穴に対して抜差し可能な弾性部材を有し、該保持穴に挿入されて圧縮された該弾性部材の復元力により上記取付金に保持されるように構成されていることを特徴とする請求項１記載のエレベータのかご天井。
【請求項４】
上記天蓋に取り付けられた取付金を備え、
磁石が上記目地と上記取付金との少なくとも一方に装着され、該目地が該磁石の磁気吸引力により上記取付金に保持されるように構成されていることを特徴とする請求項１記載のエレベータのかご天井。
【請求項５】
上記天蓋に取り付けられた取付金を備え、
上記目地が、フック状の取付部を有し、
上記取付金が、上記取付部が挿入可能な開口、上記取付部を上方移動のみを可として係止する係止部、および該開口と該係止部とを繋ぐ連絡路からなる係合溝を有し、
上記目地が、上記取付部を上記係止部に係止されて上記取付金に保持されるように構成されていることを特徴とする請求項１記載のエレベータのかご天井。
【請求項６】
浮き上がる上記照明板に当接して該照明板の浮き上がりを規制するストッパが、上記目地又は上記取付金に形成されていることを特徴とする請求項２乃至請求項５のいずれか１項に記載のエレベータのかご天井。
【請求項７】
上記目地は、矩形断面形状に作製され、長さ方向の両端部を、相対する上記側板の支持部の上面に凹設された目地収納凹部に収納されて、相対する上記側板の支持部間に架設されていることを特徴とする請求項１記載のエレベータのかご天井。
【請求項８】
上記目地は、逆Ｔ字状の断面形状に作製され、長さ方向の両端部を、相対する上記側板の支持部の上面に載置されて、相対する上記側板の支持部間に架設されていることを特徴とする請求項１記載のエレベータのかご天井。
【請求項９】
浮き上がる上記照明板に当接して該照明板の浮き上がりを規制するストッパが、上記側板の基部に形成されていることを特徴とする請求項７又は請求項８記載のエレベータのかご天井。
【請求項１０】
浮き上がる上記照明板に当接して該照明板の浮き上がりを規制するストッパが、上記天蓋に取り付けられた取付金に形成されていることを特徴とする請求項７又は請求項８記載のエレベータのかご天井。
【請求項１１】
上記目地は、Ｉ字状の断面形状に作製され、長さ方向の両端部を、相対する上記側板の支持部の上面に載置されて、相対する上記側板の支持部間に架設されていることを特徴とする請求項１記載のエレベータのかご天井。
【請求項１２】
浮き上がる上記目地に当接して該目地の浮き上がりを規制するストッパが、上記天蓋に取り付けられた取付金に形成されていることを特徴とする請求項１１記載のエレベータのかご天井。
【請求項１３】
目地取り出し用開口が、上記目地の架設位置に対応するように、上記側板の基部に形成されていることを特徴とする請求項７乃至請求項１２のいずれか１項に記載のエレベータのかご天井。
【請求項１４】
塞口板が、上記目地取り出し用開口を塞口するように、上記側板の基部の外面に着脱可能に取り付けられていることを特徴とする請求項１３記載のエレベータのかご天井。
【発明の詳細な説明】
【技術分野】
【０００１】
この発明は、エレベータのかご天井に関し、特にかご室の天井に取り付けられた光源を下側から覆って配光する照明板の取付構造に関するものである。
【背景技術】
【０００２】
従来のエレベータのかご天井は、側板が、天蓋に取り付けられた照明機器を取り囲むように、かご室の側壁に近接した部位に天蓋から垂設され、照明板が、側板の下端から水平方向に突設された支持部に支持されて光源を覆うように配設され、目地が照明板の相互間に架設されている（例えば、特許文献１参照）。
【先行技術文献】
【特許文献】
【０００３】
【特許文献１】特許第４５１５７８８号公報
【発明の概要】
【発明が解決しようとする課題】
【０００４】
従来のエレベータのかご天井では、照明板が配設されている状態で、目地がかご室内から取り外し可能となっていない。そこで、清掃時や照明機器の交換時に、かご室内から照明板の固定を解除し、照明板を吊天井の内部空間内で斜めにし、回転させて、側板と目地との間、あるいは目地間からかご室内に引き出す。そして、清掃終了後や照明機器の交換後、照明板を側板と目地との間、あるいは目地間から内部空間内に差し入れ、照明板を側板の支持部に支持させて、照明板を固定することになり、照明板の着脱作業性が煩雑となる。
【０００５】
また、照明板をかご室内に引き出す際、あるいは照明板を吊天井の内部空間内に差し入れる際に、照明板が照明機器や目地の意匠面に当たらないように、内部空間を広くして逃げ代を大きくする、すなわち内部空間の深さを深くする必要があった。そこで、既設のかご室の天井を従来のエレベータのかご天井に変更した場合には、天井高さが低くなり、窮屈感や切迫感を乗客に与えてしまうことになる。
【０００６】
この発明は、このような課題を解決するためになされたものであって、照明板が架設されている状態で、目地を取り外し可能とし、吊天井の内部空間を広くすることなく、照明板を簡易に着脱できるエレベータのかご天井を得ることを目的とする。
【課題を解決するための手段】
【０００７】
この発明によるエレベータのかご天井は、それぞれ、基部、および基部の一端から直角に延出する支持部を有し、該支持部を下方に向けて、天蓋に取り付けられた照明機器を取り囲むように該天蓋から垂設された複数の側板と、相対する上記側板の支持部間に架設されて、上記照明機器を覆うように配設された複数の照明板と、隣り合う照明板間の隙間を塞ぐように架設された目地と、を備え、上記目地が、上記照明板が架設された状態で、かご室内から着脱可能に取り付けられている。
【発明の効果】
【０００８】
この発明によれば、目地が、照明板が架設された状態で、かご室内から着脱可能に取り付けられている。そこで、目地を取り外してから、照明板の取り外しや、照明板の取り付けを行うことができ、清掃時や照明機器の交換時の照明板の着脱作業が簡易となる。
また、吊天井内での照明板を斜めにしたり、回転させたりする必要がなく、吊り天井の深さを浅くできる。そこで、既設のかご室の天井を本かご天井に変更した場合には、天井高さが高くなり、窮屈感や切迫感を乗客に与えることがない。
【図面の簡単な説明】
【０００９】
【図１】この発明の実施の形態１に係るエレベータのかご天井の構成を説明する断面図である。
【図２】この発明の実施の形態１に係るエレベータのかご天井を下方から見た平面図である。
【図３】図１のＩＩＩ−ＩＩＩ矢視断面図である。
【図４】この発明の実施の形態２に係るエレベータのかご天井における目地の取り付け構造を説明する断面図である。
【図５】この発明の実施の形態３に係るエレベータのかご天井における目地の取り付け構造を説明する断面図である。
【図６】この発明の実施の形態４に係るエレベータのかご天井における目地の構造を説明する断面図である。
【図７】この発明の実施の形態５に係るエレベータのかご天井における目地の取り付け構造を説明する断面図である。
【図８】この発明の実施の形態６に係るエレベータのかご天井における目地の取り付け構造を説明する断面図である。
【図９】この発明の実施の形態７に係るエレベータのかご天井における目地の取り付け構造を説明する断面図である。
【図１０】この発明の実施の形態８に係るエレベータのかご天井における取付金の取り付け状態を示す側面図である。
【図１１】この発明の実施の形態８に係るエレベータのかご天井における目地を示す端面図である。
【図１２】この発明の実施の形態８に係るエレベータのかご天井における目地の取り付け構造を説明する側面図である。
【図１３】この発明の実施の形態８に係るエレベータのかご天井における目地の取り付け構造を説明する断面図である。
【図１４】この発明の実施の形態９に係るエレベータのかご天井における目地の取り付け構造を説明する断面図である。
【図１５】この発明の実施の形態１０に係るエレベータのかご天井における目地の取り付け構造を説明する断面図である。
【図１６】この発明の実施の形態１１に係るエレベータのかご天井における目地の取り付け構造を説明する断面図である。
【図１７】この発明の実施の形態１２に係るエレベータのかご天井における目地の取り付け構造を説明する断面図である。
【図１８】この発明の実施の形態１４に係るエレベータのかご天井における目地の取り付け構造を説明する断面図である。
【図１９】この発明の実施の形態１５に係るエレベータのかご天井における目地の取り付け構造を説明する断面図である。
【図２０】この発明の実施の形態１６に係るエレベータのかご天井における目地の取り付け構造を説明する断面図である。
【図２１】この発明の実施の形態１７に係るエレベータのかご天井における目地の取り付け構造を説明する断面図である。
【図２２】この発明の実施の形態１８に係るエレベータのかご天井における目地の取り付け構造を説明する断面図である。
【図２３】この発明の実施の形態１９に係るエレベータのかご天井における目地の取り付け構造を説明する断面図である。
【図２４】この発明の実施の形態２０に係るエレベータのかご天井における目地の取り付け構造を説明する断面図である。
【図２５】この発明の実施の形態２１に係るエレベータのかご天井における目地の取り外し方法を説明する断面図である。
【図２６】この発明の実施の形態２２に係るエレベータのかご天井を示す断面図である。
【発明を実施するための形態】
【００１０】
以下、本発明のエレベータのかご天井の好適な実施の形態につき図面を用いて説明する。
【００１１】
実施の形態１．
図１はこの発明の実施の形態１に係るエレベータのかご天井の構成を説明する断面図、図２はこの発明の実施の形態１に係るエレベータのかご天井を下方から見た平面図、図３は図１のＩＩＩ−ＩＩＩ矢視断面図である。
【００１２】
図１および図２において、かご室１は、側壁２がかご床（図示せず）の四方に立設され、天蓋３が側壁２の上部を塞口するように取り付けられ、内部を昇降路に対して隔離するように構成されている。出入り口（図示せず）が側壁２に形成されている。そして、側板５が、天蓋３に取り付けられた照明機器４を取り囲むように、かご室１の側壁２に近接した部位に天蓋３から垂設されている。側板５の垂下部分である基部５ａの下端には、水平方向へ向けて支持部５ｂが突設されている。目地８が、天蓋３に取り付けられた取付金１５に着脱可能に装着されて、側板５の支持部５ｂにより囲まれた領域（吊天井の開口）を３つに分割するように架設されている。さらに、照明板７が、照明機器４を覆うように、側板５と目地８との間、および目地８間に配設され、吊天井が構成されている。ここで、Ｌ１は相対する側板５の基部５ａ間の長さであり、Ｌ２は相対する側板５の支持部５ｂ間の長さであり、Ｌ３は支持部５ｂの基部５ａからの延出長さである。
【００１３】
つぎに、照明板７の取付構造について、図３を参照しつつ説明する。
【００１４】
照明板７は、矩形平板状に作製され、（Ｌ２＋Ｌ３）より短く、Ｌ２より長い長さを有している。
目地８は、基部９と、基部９の幅方向の一端部から直角に両側に延出する支持部１０と、を有する断面Ｔ字状に作製され、取付部１１が基部９の幅方向の他端部から幅方向外方に延設されている。そして、取付部１１の先端の側部には、ゴムなどの摩擦材１２が装着されている。なお、取付部１１は、図１に示されるように、基部９の長さ方向の両側および中央の３箇所に形成されている。また、目地８は、Ｌ２に略等しい長さを有している。
【００１５】
取付金１５は、断面Ｔ字状に作製され、取付部１１の先端側が挿入される保持穴１５ａが形成されている。取付金１５は、目地８の取付部１１のそれぞれに相対し、かつ保持穴１５ａが下方に開口するように、天蓋３の所定位置に垂設されている。
【００１６】
照明板７を取り付けるには、まず、照明板７を側板５の支持部５ｂにより画成される開口から吊天井の内部空間内に差し入れ、目地８の架設位置を外して、照明板７を支持部５ｂに支持させる。ついで、目地８の取付部１１の先端側を取付金１５の保持穴１５ａのそれぞれに圧入する。これにより、目地８は、摩擦材１２と保持穴１５ａの内壁面との間に発生する摩擦力により、取付金１５に支持されて、天蓋３に吊設される。そして、目地８の支持部１０が側板５の支持部５ｂと面一となる。同様に、もう１本の目地８を天蓋３に吊設する。なお、このとき、目地８の基部９の幅方向が、上下方向となる。
【００１７】
ついで、吊天井の内部空間内に差し入れている照明板７を水平にして、照明板７の周縁部を支持部５ｂ，１０上に載置する。これにより、照明板７がそれぞれ支持部５ｂ，１０に支持されて、側板５の支持部５ｂにより画成される開口を塞口するように配設される。そして、照明板７間の隙間は、目地８により塞がれている。
【００１８】
このように吊天井の開口を塞口するように配設された照明板７は、（Ｌ２＋Ｌ３）より短く、Ｌ２より長い長さを有しているので、長さ方向の一側に移動させると、長さ方向の他端側が支持部５ｂより開口内に現われる。しかし、目地８が開口に架設されており、照明板７の外れを防止している。
【００１９】
照明板７を取り外すには、まず、かご室１内から目地８を下方に引っ張り、取付金１５の保持穴１５ａから引き抜いて、目地８を取り外す。このとき、照明板７は、その周縁部が側板５の支持部５ｂに支持されており、落下することはない。そこで、中央の照明板７を長さ方向に移動させ、長さ方向の縁部が支持部５ｂから開口内に現われたら、当該縁部側からかご室１内に引き入れて、照明板７を取り外す。ついで、両側の照明板７を幅方向に移動させ、幅方向の縁部が支持部５ｂから開口内に現われたら、照明板７を長さ方向に移動させ、同様にして、照明板７を取り外す。
【００２０】
このように、この実施の形態１によれば、目地８の取付部１１の先端の側部に摩擦材１２を装着し、取付部１１を取付金１５の保持穴１５ａに抜差しすることで、目地８を取付金１５に着脱できるので、照明板７が支持部５ｂ間に架設されている状態で、目地８をかご室１内から着脱できる目地８の取付構造を簡易な構成で実現できる。
また、照明板７が支持部５ｂ間に架設されている状態で、目地８がかご室１内から着脱可能になっているので、目地８を取り外した状態で照明板７を着脱することができる。そこで、照明板７を吊天井の内部空間内で傾けたり、回転させるような作業が不要となり、照明板７の取り付け／取り外し作業性が向上される。また、照明板７が目地８の意匠面に当たり、目地８の意匠面を傷つけることもない。
【００２１】
また、照明板７をかご室１内に引き出す際、あるいは照明板７を吊天井の内部空間内に差し入れる際に、照明板７を内部空間内で傾けたり、回転させるような作業が不要となるので、照明機器４の損傷発生を抑えることができる。さらに、吊天井の内部空間を広くして逃げ代を大きくする必要がなく、側板５の垂設長さを短くできる、すなわち吊天井の厚さを薄くすることができる。これにより、既設のかご室の天井を本かご天井に変更した場合には、天井高さが高くなり、窮屈感や切迫感を乗客に与えることがない。
【００２２】
なお、上記実施の形態１では、摩擦材が目地の取付部に装着されているものとしているが、摩擦材は取付金の保持穴の内壁面に装着してもよい。
【００２３】
実施の形態２．
図４はこの発明の実施の形態２に係るエレベータのかご天井における目地の取り付け構造を説明する断面図である。
【００２４】
図４において、目地８Ａは、取付部１１の根元側から直角に両側に延出するストッパ１６を備えている。
なお、他の構成は上記実施の形態１と同様に構成されている。
【００２５】
この実施の形態２においても、照明板７が支持部５ｂ間に架設されている状態で、目地８Ａがかご室１内から着脱可能になっているので、上記実施の形態１と同様の効果が得られる。
この実施の形態２よれば、ストッパ１６が支持部１２と相対するように、所定距離離れて取付部１１に形成されている。そこで、照明板７が悪戯によりかご室１内から押し上げられると、ストッパ１６に当たり、それ以上の浮き上がりが阻止される。これにより、悪戯により照明板７が取り外されるのが防止される。
【００２６】
実施の形態３．
図５はこの発明の実施の形態３に係るエレベータのかご天井における目地の取り付け構造を説明する断面図である。
【００２７】
図５において、取付金１５Ａは、その下端から直角に両側に延出するストッパ１６を備えている。
なお、他の構成は上記実施の形態１と同様に構成されている。
【００２８】
この実施の形態３においても、照明板７が支持部５ｂ間に架設されている状態で、目地８がかご室１内から着脱可能になっているので、上記実施の形態１と同様の効果が得られる。
この実施の形態３によれば、ストッパ１６が支持部１２と相対するように、所定距離離れて取付金１５Ａに形成されている。そこで、照明板７が悪戯によりかご室１内から押し上げられると、ストッパ１６に当たり、それ以上の浮き上がりが阻止される。これにより、悪戯により照明板７が取り外されるのが防止される。
【００２９】
実施の形態４．
図６はこの発明の実施の形態４に係るエレベータのかご天井における目地の構造を説明する断面図である。
【００３０】
図６において、目地８Ｂは、ばね鋼材などの弾性部材でＵ字状に作製された取付部１１Ｂを備え、突起１４が取付部１１Ｂの先端から外方に突設されている。
なお、他の構成は上記実施の形態１と同様に構成されている。
【００３１】
この実施の形態４では、取付部１１Ｂは、突起１４が取付金１５の保持穴１５ａの内壁面を摺動しつつ保持穴１５ａに挿入され、Ｕ字状の隙間を狭めるように弾性変形する。その取付部１１Ｂの復元力が保持穴１５ａの内壁面を押圧し、目地８Ｂが取付金１５に弾性支持される。そして、かご室１内から目地８Ｂを引っ張ると、取付部１１Ｂが保持穴１５ａの内壁面上を摺動しつつ抜け出し、目地８Ｂが取付金１５から取り外される。
このように、この実施の形態４においても、照明板７が支持部５ｂ間に架設されている状態で、目地８Ｂがかご室１内から着脱可能になっているので、上記実施の形態１と同様の効果が得られる。
【００３２】
なお、上記実施の形態４では、上記実施の形態１の目地８の取付部１１を、突起１４を備えた取付部１１Ｂに変更するものとしているが、上記実施の形態２の目地８Ａの取付部１１を、突起１４を備えた取付部１１Ｂに変更しても、同様の効果を奏する。また、上記実施の形態３において、目地８に替えて上記実施の形態４の目地８Ｂを用いてもよいことはいうまでもないことである。
【００３３】
また、上記実施の形態１〜４では、取付部が目地の基部の長さ方向の両側および中央の３箇所に形成されているものとしているが、取付部の形成位置はこれに限定されるものではなく、例えば、目地の基部の長さ方向の両側の２箇所でもよく、目地の基部の長さ方向の全域でもよい。そして、取付金は、取付部の形成位置に対応するように天蓋に取り付けられることになる。
【００３４】
実施の形態５．
図７はこの発明の実施の形態５に係るエレベータのかご天井における目地の取り付け構造を説明する断面図である。
【００３５】
図７において、目地２０は、基部２１と、基部２１の幅方向の一端部から直角に両側に延出する支持部２２と、を有する断面Ｔ字状に作製され、鉄などの磁性材料からなる取付部２３が基部９の幅方向の他端部に取り付けられている。取付部２３は、基部２１の長さ方向の両側および中央の３箇所に形成されている。また、目地２０は、Ｌ２に略等しい長さを有している。
【００３６】
取付金２５は、断面Ｔ字状に作製され、その基部先端に磁石２６が取り付けられている。取付金２５は、磁石２６が目地２０の取付部２３のそれぞれに相対するように、天蓋３の所定位置に垂設されている。
なお、他の構成は上記実施の形態１と同様に構成されている。
【００３７】
この実施の形態５では、取付部２３が磁石２６に磁気吸引されて目地２０が取付金２５を介して天蓋３に吊設され、吊天井の開口を３つに分割するように架設されている。そして、照明板７が、その周縁部を支持部５ｂ，２２に支持されて、照明機器４を覆うように配設されている。
【００３８】
この実施の形態５では、磁石２６の磁気吸引力により、目地２０が取付金２５に保持されているので、目地２０を引っ張ることで、目地２０を取付金２５から離脱させることができる。したがって、この実施の形態５においても、目地２０の取付構造を簡易な構成で実現できる。
さらに、照明板７が支持部５ｂ間に架設されている状態で、目地２０がかご室１内から着脱可能に取付金２５に装着されているので、上記実施の形態１と同様の効果が得られる。
【００３９】
実施の形態６．
図８はこの発明の実施の形態６に係るエレベータのかご天井における目地の取り付け構造を説明する断面図である。
【００４０】
図８において、目地２０Ａは、取付部２３から直角に両側に延出するストッパ２７を備えている。
なお、他の構成は上記実施の形態５と同様に構成されている。
【００４１】
この実施の形態６では、照明板７が支持部５ｂ間に架設されている状態で、目地２０Ａがかご室１内から着脱可能に取付金２５に装着されているので、上記実施の形態５と同様の効果が得られる。
この実施の形態６よれば、ストッパ２７が支持部２２と相対するように、所定距離離れて取付部２３に形成されている。そこで、照明板７が悪戯によりかご室１内から押し上げられると、ストッパ２７に当たり、それ以上の浮き上がりが阻止される。これにより、悪戯により照明板７が取り外されるのが防止される。
【００４２】
実施の形態７．
図９はこの発明の実施の形態７に係るエレベータのかご天井における目地の取り付け構造を説明する断面図である。
【００４３】
図９において、目地２０Ｂは、磁石２６が取付部２３に替えて基部２１に取り付けられている。取付金２５Ａは、取付部２３が磁石２６に替えて基部の先端に取り付けられ、ストッパ２７が取付部２３から直角に両側に延出している。
なお、他の構成は上記実施の形態５と同様に構成されている。
【００４４】
この実施の形態７では、照明板７が支持部５ｂ間に架設されている状態で、目地２０Ｂがかご室１内から着脱可能に取付金２５Ａに装着されているので、上記実施の形態５と同様の効果が得られる。
この実施の形態７よれば、ストッパ２７が支持部２２と相対するように、所定距離離れて取付金２５Ａに形成されている。そこで、照明板７が悪戯によりかご室１内から押し上げられると、ストッパ２７に当たり、それ以上の浮き上がりが阻止される。これにより、悪戯により照明板７が取り外されるのが防止される。
【００４５】
なお、上記実施の形態５〜７では、磁性材からなる取付部および磁石の一方を目地に取り付け、他方を取付金に取り付けるものとしているが、異なる極性を有する磁石を目地と取付金に取り付けてもよい。
【００４６】
実施の形態８．
図１０はこの発明の実施の形態８に係るエレベータのかご天井における取付金の取り付け状態を示す側面図、図１１はこの発明の実施の形態８に係るエレベータのかご天井における目地を示す端面図、図１２はこの発明の実施の形態８に係るエレベータのかご天井における目地の取り付け構造を説明する側面図、図１３はこの発明の実施の形態８に係るエレベータのかご天井における目地の取り付け構造を説明する断面図である。
【００４７】
図１０において、取付金３０は、取付腕３２が基部３１の一端から直角に延出するＬ字状に作製され、係合溝３３が基部３１に形成されている。取付金３０は、取付腕３２を天蓋３に固定されて、基部３１が垂下するように取り付けられる。そして、係合溝３３は、基部３１の厚み方向に貫通し、基部３１の長さ方向の一側の下端面から上方に所定距離上り、ついで基部３１の長さ方向の他側に水平に所定距離進み、その後下方に所定距離下がる逆Ｊ字状の溝形状に形成されている。
【００４８】
図１１において、目地３５は、基部３６と、基部３６の幅方向の一端部から直角に両側に延出する支持部３７と、を有する断面Ｔ字状に作製され、取付部３８が基部３６の幅方向の他端部から幅方向外方に延設されている。取付部３８は、基部３６の長さ方向の両側および中央の３箇所に形成されている。また、目地３５は、Ｌ２に略等しい長さを有している。取付部３８は、基部３６の幅方向の他端部から幅方向外方に所定距離延出し、ついで、直角に曲げられて基部３６の厚み方向に所定距離延びた後、直角に曲げられて基部３６の幅方向の一端側に所定距離延びるフック形状に形成されている。
【００４９】
目地３５を取付金３０に装着するには、まず、取付部３８を基部３１の下端面の係合溝３３の開口真下に位置させる。そして、取付部３８が係合溝３３の壁面に当たるまで、目地３５を上方に移動させる。ついで、取付部３８が係合溝３３の壁面に当たったら、取付部３２が係合溝３３の壁面に当たるまで、目地３５を基部３１の長さ方向他側に水平移動させる。ついで、取付部３８が係合溝３３の壁面に当たったら、目地３５を下方に移動させ、取付部３８を係合溝３３の最奥部の係止部に嵌り込ませる。これにより、目地３５は、その長さ方向、下方向、および左右方向（長さ方向および上下方向と直交する方向）への移動が規制され、図１２および図１３に示されるように、取付金３０に装着される。なお、取付金３０に装着された目地３５においては、基部３６の幅方向が上下方向となる。
【００５０】
目地３５を取付金３０から取り外すには、まず、取付部３８が係合溝３３の壁面に当たるまで、目地３５を上方に移動させる。ついで、取付部３８が係合溝３３の壁面に当たったら、取付部３２が係合溝３３の壁面に当たるまで、目地３５を基部３１の長さ方向一側に水平移動させる。ついで、取付部３８が係合溝３３の壁面に当たったら、目地３５を下方に移動させ、取付部３８を係合溝３３から引き出し、目地３５が取付金３０から取り外される。
【００５１】
この実施の形態８においても、フック形状の取付部３８を逆Ｊ字状の係合溝３３に係合させて、目地３５が取付金３０に保持されているので、照明板７が装着されている状態で、目地３５を係合溝３３の溝形状に沿って移動させることで、目地３５を取付金３０から離脱させることができる。したがって、この実施の形態８においても、目地３５の取付構造を簡易な構成で実現できる。また、目地３５を取付金３０から取り外すには、取付部３８を係合溝３３の溝形状に沿って移動させる必要があり、悪戯による目地３５の取り外しを防止することができる。
さらに、照明板７が支持部５ｂ間に架設されている状態で、目地３５がかご室１内から着脱可能に取付金３０に装着されているので、上記実施の形態１と同様の効果が得られる。
【００５２】
なお、上記実施の形態８では、係合溝が逆Ｊ字状の溝形状に形成されているものとしているが、係合溝の溝形状は逆Ｊ字状に限定されず、目地の取付部が挿入可能な開口と、目地の取付部を上方移動のみを可として係止する係止部と、開口と係合部とを繋ぐ連絡溝と、を備えていればよい。
【００５３】
実施の形態９．
図１４はこの発明の実施の形態９に係るエレベータのかご天井における目地の取り付け構造を説明する断面図である。
【００５４】
図４において、目地３５Ａは、取付部３８の根元側から直角に両側に延出するストッパ３９を備えている。
なお、他の構成は上記実施の形態８と同様に構成されている。
【００５５】
この実施の形態９では、照明板７が支持部５ｂ間に架設されている状態で、目地３５Ａがかご室１内から着脱可能に取付金３０に装着されているので、上記実施の形態８と同様の効果が得られる。
この実施の形態９よれば、ストッパ３９が支持部３７と相対するように、所定距離離れて取付部３８に形成されている。そこで、照明板７が悪戯によりかご室１内から押し上げられると、ストッパ３９に当たり、それ以上の浮き上がりが阻止される。これにより、悪戯により照明板７が取り外されるのが防止される。
【００５６】
実施の形態１０．
図１５はこの発明の実施の形態１０に係るエレベータのかご天井における目地の取り付け構造を説明する断面図である。
【００５７】
図１５において、取付金３０Ａは、基部３１から直角に両側に延出するストッパ３９を備えている。
なお、他の構成は上記実施の形態８と同様に構成されている。
【００５８】
この実施の形態１０では、照明板７が支持部５ｂ間に架設されている状態で、目地３５がかご室１内から着脱可能に取付金３０Ａに装着されているので、上記実施の形態８と同様の効果が得られる。
この実施の形態１０よれば、ストッパ３９が支持部３７と相対するように、所定距離離れて取付金３０Ａに形成されている。そこで、照明板７が悪戯によりかご室１内から押し上げられると、ストッパ３９に当たり、それ以上の浮き上がりが阻止される。これにより、悪戯により照明板７が取り外されるのが防止される。
【００５９】
実施の形態１１．
図１６はこの発明の実施の形態１１に係るエレベータのかご天井における目地の取り付け構造を説明する断面図である。
【００６０】
図１６において、取付金３０Ｂは、基部３１の下端から直角に両側に延出するストッパ３９Ａを備えている。ストッパ３９Ａは、取付部３８を挿通させる逃がし穴４０が形成されている。
なお、他の構成は上記実施の形態１０と同様に構成されている。
【００６１】
この実施の形態１１では、照明板７が支持部５ｂ間に架設されている状態で、目地３５がかご室１内から着脱可能に取付金３０Ｂに装着されているので、上記実施の形態１０と同様の効果が得られる。
この実施の形態１１よれば、ストッパ３９Ａが支持部３７と相対するように、所定距離離れて取付金３０Ｂに形成されている。そこで、照明板７が悪戯によりかご室１内から押し上げられると、ストッパ３９Ａに当たり、それ以上の浮き上がりが阻止される。これにより、悪戯により照明板７が取り外されるのが防止される。
ストッパ３９Ａには、目地３５を取り外す際に、取付部３８を挿通させる逃がし穴４０が形成されているので、ストッパ３９Ａを基部３１の下端に形成することができ、ストッパ３９Ａが支持部３７との間の距離を狭くすることができる。これにより、悪戯により照明板７が取り外されるのをより確実に防止することができる。
【００６２】
実施の形態１２．
図１７はこの発明の実施の形態１２に係るエレベータのかご天井における目地の取り付け構造を説明する断面図である。
【００６３】
図１７において、側板５の支持部５ｂの上面には、目地収納凹部４２が目地４１の架設位置に対応するように凹設されている。目地４１は、（Ｌ２＋Ｌ３）より短く、Ｌ２より長い長さを有し、かつ目地収納凹部４２の溝幅より狭い幅の矩形平板状に作製されている。目地４１は、長さ方向の両端を、相対する支持部５ｂの目地収納凹部４２内に配置して、相対する支持部５ｂ間に架設されている。そして、照明板７が、周縁部を支持部５ｂおよび目地４１に載置して、照明機器４を覆うように配設されている。
なお、他の構成は上記実施の形態１と同様に構成されている。
【００６４】
この実施の形態１２において、目地４１を取り外すには、まず、かご室１内から目地４１をそのまま長さ方向の一側に移動させる。そして、目地４１の長さ方向の他端が支持部５ｂから吊天井の開口内に現われると、目地４１を斜めにして、目地４１の他端側からかご室１内に引き入れて、目地４１を取り外す。
また、目地４１を取り付けるには、目地４１を斜めにして、目地４１の長さ方向の一端を吊天井の内部空間内に差し入れる。そして、目地４１の長さ方向の他端が支持部５ｂより内側になると、目地４１の他端側を持ち上げて、内部空間内に入れる。ついで、目地４１を長さ方向の他端側に移動し、目地４１の両端部を相対する支持部５ｂの目地収納凹部４２内に納める。これにより、目地４１が相対する支持部５ｂ間に架設される。
【００６５】
この実施の形態１２においても、照明板７が支持部５ｂ間に架設されている状態で、目地４１がかご室１内から着脱可能に相対する支持部５ｂに装着されているので、上記実施の形態１と同様の効果が得られる。
この実施の形態１２では、目地４１の両端部が支持部５ｂに凹設された目地収納凹部４２内に配置されているので、振動などによる目地４１の位置ずれが抑えられる。
【００６６】
実施の形態１３．
上記実施の形態１２では、目地４１が、（Ｌ２＋Ｌ３）より短く、Ｌ２より長い長さを有しているものとしているが、この実施の形態１３では、目地４１が、（Ｌ２＋Ｌ３）より長く、Ｌ１より短い長さを有しているものとする。
なお、他の構成は上記実施の形態１２と同様に構成されている。
【００６７】
この実施の形態１３においても、目地４１は、長さ方向の両端を、相対する支持部５ｂの目地収納凹部４２内に配置して、相対する支持部５ｂ間に架設され、照明板７は、周縁部を支持部５ｂおよび目地４１に載置して、照明機器４を覆うように配設されている。
【００６８】
この実施の形態１３において、目地４１を取り外すには、まず、かご室１内から目地４１を持ち上げて目地収納凹部４２から出し、目地４１の一端を支持部５ｂの長さ方向に移動させ、すなわち目地４１を回転させて、目地４１を支持部５ｂに対して斜めにし、目地４１の長さ方向の他端が支持部５ｂから吊天井の開口内に現われると、目地４１を斜めにして、目地４１の他端側からかご室１内に引き入れて、目地４１を取り外す。
また、目地４１を取り付けるには、目地４１を支持部５ｂに対して斜めにして、目地４１の長さ方向の一端を吊天井の内部空間内に差し入れる。そして、目地４１の長さ方向の他端が支持部５ｂより内側になると、目地４１の他端側を持ち上げて、内部空間内に入れる。ついで、目地４１を長さ方向の他端側に移動し、目地４１を回転させて目地４１を支持部５ｂと直交するようにし、目地４１の両端部を相対する支持部５ｂの目地収納凹部４２内に納める。これにより、目地４１が相対する支持部５ｂ間に架設される。
【００６９】
この実施の形態１３においても、照明板７が支持部５ｂ間に架設されている状態で、目地４１がかご室１内から着脱可能に相対する支持部５ｂに装着されている。また、目地４１の両端部が支持部５ｂに凹設された目地収納凹部４２内に配置されている。したがって、この実施の形態１３においても、上記実施の形態１２と同様の効果が得られる。
【００７０】
実施の形態１４．
図１８はこの発明の実施の形態１４に係るエレベータのかご天井における目地の取り付け構造を説明する断面図である。
【００７１】
図１８において、ストッパ４３が、吊天井の開口を塞口するように配設されている照明板７の長さ方向の両端部と相対して、所定距離離れるように、側板５の基部５ａから直角に延出している。
なお、他の構成は上記実施の形態１２と同様に構成されている。
【００７２】
この実施の形態１４においても、上記実施の形態１２と同様の効果が得られる。
この実施の形態１４では、照明板７が悪戯によりかご室１内から押し上げられると、ストッパ４３に当たり、それ以上の浮き上がりが阻止される。これにより、悪戯により照明板７が取り外されるのが防止される。
【００７３】
実施の形態１５．
図１９はこの発明の実施の形態１５に係るエレベータのかご天井における目地の取り付け構造を説明する断面図である。
【００７４】
図１９において、ストッパ４３が、吊天井の開口を塞口するように配設されている照明板７と相対して、所定距離離れるように、天蓋３に吊設された取付金４４に取り付けられている。
なお、他の構成は上記実施の形態１２と同様に構成されている。
【００７５】
この実施の形態１５においても、上記実施の形態１２と同様の効果が得られる。
この実施の形態１５では、照明板７が悪戯によりかご室１内から押し上げられると、ストッパ４３に当たり、それ以上の浮き上がりが阻止される。これにより、悪戯により照明板７が取り外されるのが防止される。
【００７６】
実施の形態１６．
図２０はこの発明の実施の形態１６に係るエレベータのかご天井における目地の取り付け構造を説明する断面図である。
【００７７】
図２０において、目地４５は、基部４６と、基部４６の幅方向の一端部から直角に両側に延出する支持部４７と、を有する断面Ｔ字状に作製されている。目地４５は、（Ｌ２＋Ｌ３）より短く、Ｌ２より長い長さを有している。そして、目地４５は、支持部４７を下方に向けて、長さ方向の両端を、相対する支持部５ｂに配置して、相対する支持部５ｂ間に架設されている。そして、照明板７が、周縁部を支持部５ｂおよび目地４５の支持部４７に載置して、照明機器４を覆うように配設されている。
なお、他の構成は上記実施の形態１と同様に構成されている。
【００７８】
この実施の形態１６において、目地４５を取り外すには、まず、かご室１内から目地４５を持ち上げて長さ方向の一側に移動させる。そして、目地４５の長さ方向の他端が支持部５ｂから吊天井の開口内に現われると、目地４５を斜めにして、目地４５の他端側からかご室１内に引き入れて、目地４５を取り外す。
また、目地４５を取り付けるには、目地４５を斜めにして、目地４５の長さ方向の一端を吊天井の内部空間内に差し入れる。そして、目地４５の長さ方向の他端が支持部５ｂより内側になると、目地４５の他端側を持ち上げて、内部空間内に入れる。ついで、目地４５を長さ方向の他端側に移動し、目地４５の両端部を相対する支持部５ｂに載置する。これにより、目地４５が相対する支持部５ｂ間に架設される。
【００７９】
この実施の形態１６においても、照明板７が支持部５ｂ間に架設されている状態で、目地４５がかご室１内から着脱可能に相対する支持部５ｂに装着されているので、上記実施の形態１と同様の効果が得られる。
この実施の形態１６によれば、目地４５が逆Ｔ字状に作製されているので、基部４６が照明板７に挟まれ、目地４５の位置ずれが防止される。
【００８０】
実施の形態１７．
図２１はこの発明の実施の形態１７に係るエレベータのかご天井における目地の取り付け構造を説明する断面図である。
【００８１】
図２１において、ストッパ４３が、吊天井の開口を塞口するように配設されている照明板７と相対して、所定距離離れるように、側板５の基部５ａから直角に延出している。
なお、他の構成は上記実施の形態１６と同様に構成されている。
【００８２】
この実施の形態１７では、照明板７が悪戯によりかご室１内から押し上げられると、ストッパ４３に当たり、それ以上の浮き上がりが阻止される。これにより、悪戯により照明板７が取り外されるのが防止される。
【００８３】
実施の形態１８．
図２２はこの発明の実施の形態１８に係るエレベータのかご天井における目地の取り付け構造を説明する断面図である。
【００８４】
図２２において、ストッパ４３が、吊天井の開口を塞口するように配設されている照明板７と相対して、所定距離離れるように、天蓋３に吊設された取付金４４に取り付けられている。
なお、他の構成は上記実施の形態１６と同様に構成されている。
【００８５】
この実施の形態１８では、照明板７が悪戯によりかご室１内から押し上げられると、ストッパ４３に当たり、それ以上の浮き上がりが阻止される。これにより、悪戯により照明板７が取り外されるのが防止される。
【００８６】
実施の形態１９．
図２３はこの発明の実施の形態１９に係るエレベータのかご天井における目地の取り付け構造を説明する断面図である。
【００８７】
図２３において、目地５０は、基部５１と、基部５１の幅方向の一端部から直角に両側に延出する支持部５２と、基部５１の幅方向の他端部から直角に両側に延出するストッパ５３と、を有する断面Ｉ字状に作製されている。目地５０は、（Ｌ２＋Ｌ３）より短く、Ｌ２より長い長さを有している。そして、目地５０は、長さ方向の両端を、相対する支持部５ｂに配置して、相対する支持部５ｂ間に架設されている。そして、照明板７が、周縁部を支持部５ｂおよび目地５０の支持部５２に載置して、照明機器４を覆うように配設されている。
なお、他の構成は上記実施の形態１と同様に構成されている。
【００８８】
この実施の形態１９において、目地５０を取り外すには、まず、かご室１内から目地５０を持ち上げて長さ方向の一側に移動させる。そして、目地５０の長さ方向の他端が支持部５ｂから吊天井の開口内に現われると、目地５０を斜めにして、目地５０の他端側からかご室１内に引き入れて、目地５０を取り外す。
また、目地５０を取り付けるには、目地５０を斜めにして、目地５０の長さ方向の一端を吊天井の内部空間内に差し入れる。そして、目地５０の長さ方向の他端が支持部５ｂより内側になると、目地５０の他端側を持ち上げて、内部空間内に入れる。ついで、目地５０を長さ方向の他端側に移動し、目地５０の両端部を相対する支持部５ｂに載置する。これにより、目地５０が相対する支持部５ｂ間に架設される。
【００８９】
この実施の形態１９においても、照明板７が支持部５ｂ間に架設されている状態で、目地５０がかご室１内から着脱可能に相対する支持部５ｂに装着されているので、上記実施の形態１と同様の効果が得られる。
実施の形態１９によれば、照明板７が悪戯によりかご室１内から押し上げられると、ストッパ５３に当たり、それ以上の浮き上がりが阻止される。これにより、悪戯により照明板７が取り外されるのが防止される。
【００９０】
実施の形態２０．
図２４はこの発明の実施の形態２０に係るエレベータのかご天井における目地の取り付け構造を説明する断面図である。
【００９１】
図２４において、ストッパ４３が、支持部５ｂに架設された目地５０と相対して、所定距離離れるように、側板５の基部５ａから直角に延出している。
なお、他の構成は上記実施の形態１９と同様に構成されている。
【００９２】
この実施の形態２０では、目地５０が悪戯によりかご室１内から押し上げられると、ストッパ４３に当たり、それ以上の浮き上がりが阻止される。これにより、悪戯により目地５０が取り外されるのが防止される。
【００９３】
実施の形態２１．
図２５はこの発明の実施の形態２１に係るエレベータのかご天井における目地の取り外し方法を説明する断面図である。
【００９４】
図２５において、目地取り出し用開口５５が、側板５の基部５ａの下部側に、目地４５の架設位置に対応するように形成されている。目地４５は、Ｌ１より短く、（Ｌ２＋Ｌ３）より長い長さを有している。
なお、他の構成は上記実施の形態１６と同様に構成されている。
【００９５】
この実施の形態２１において、目地４５を取り外すには、まず、かご室１内から目地４５の長さ方向の一端側を持ち上げて目地取り出し用開口５５から延出させる。そして、目地４５の長さ方向の他端が支持部５ｂから吊天井の開口内に現われると、目地４５を斜めにして、目地４５の他端側からかご室１内に引き入れて、目地４５を取り外す。
また、目地４５を取り付けるには、目地４５を斜めにして、目地４５の長さ方向の一端を吊天井の内部空間内に差し入れ、目地取り出し用開口５５から延出させる。そして、目地４５の長さ方向の他端が支持部５ｂより内側になると、目地４５の他端側を持ち上げて、内部空間内に入れる。ついで、目地４５を長さ方向の他端側に移動し、目地４５の両端部を相対する支持部５ｂに載置する。これにより、目地４５が相対する支持部５ｂ間に架設される。
【００９６】
この実施の形態２１においても、照明板７が支持部５ｂ間に架設されている状態で、目地４５がかご室１内から着脱可能に相対する支持部５ｂに装着されているので、上記実施の形態１６と同様の効果が得られる。
目地４５は、Ｌ１より短く、（Ｌ２＋Ｌ３）より長い長さを有しているので、悪戯で、目地４５を長さ方向に移動させても、目地４５の長さ方向の端部が吊天井の開口内に現われない。したがって、目地４５が悪戯により取り外され難くなる。
【００９７】
実施の形態２２．
図２６はこの発明の実施の形態２２に係るエレベータのかご天井を示す断面図である。
【００９８】
図２６において、塞口板５６が、クリップ５７により固定されて、目地取り出し用開口５５を塞口するように、側板５の基部５ａの裏面に取り付けられている。
なお、他の構成は上記実施の形態２１と同様に構成されている。
【００９９】
この実施の形態２２では、塞口板５６を取り外して、目地取り出し用開口５５を利用して目地４５の取り付けおよび取り外しを行うことになる。
この実施の形態２２によれば、目地取り外し用開口５５が塞口されているので、悪戯により目地４５が取り外されることが防止される。
【０１００】
なお、実施の形態２２では、塞口板がクリップにより固定されているものとしているが、塞口板を着脱可能に固定する手段はクリップに限定されず、例えば、蝶ねじやボルトなどを用いることができる。
【０１０１】
また、上記各実施の形態では、目地が吊天井の開口を３つに分割するように架設されているものとしているが、吊天井の開口の分割数は３つに限定されず、２つ、又は４つ以上でもよい。
【符号の説明】
【０１０２】
１  かご室、３  天蓋、４  照明機器、５  側板、５ａ  基部、５ｂ  支持部、７  照明板、８，８Ａ，８Ｂ，２０，２０Ａ，２０Ｂ，３５，３５Ａ，４１，４５，５０  目地、１１  取付部、１１Ｂ  取付部（弾性部材）、１２  摩擦材、１５，１５Ａ，２５，２５Ａ，３０，３０Ａ，３０Ｂ，４４  取付金、１５ａ  保持穴、１６，２７，３９，３９Ａ，４３，５３  ストッパ、２３  取付部、２６  磁石、３３  係合溝、４２  目地収納凹部、５５  目地取り出し用開口、５６  塞口板、５７  クリップ（固定手段）。
【図１】
2014005116.tif 000003
【図２】
2014005116.tif 000004
【図３】
2014005116.tif 000005
【図４】
2014005116.tif 000006
【図５】
2014005116.tif 000007
【図６】
2014005116.tif 000008
【図７】
2014005116.tif 000009
【図８】
2014005116.tif 000010
【図９】
2014005116.tif 000011
【図１０】
2014005116.tif 000012
【図１１】
2014005116.tif 000013
【図１２】
2014005116.tif 000014
【図１３】
2014005116.tif 000015
【図１４】
2014005116.tif 000016
【図１５】
2014005116.tif 000017
【図１６】
2014005116.tif 000018
【図１７】
2014005116.tif 000019
【図１８】
2014005116.tif 000020
【図１９】
2014005116.tif 000021
【図２０】
2014005116.tif 000022
【図２１】
2014005116.tif 000023
【図２２】
2014005116.tif 000024
【図２３】
2014005116.tif 000025
【図２４】
2014005116.tif 000026
【図２５】
2014005116.tif 000027
【図２６】
2014005116.tif 000028